(57)【要約】    ステント（１０）は、複数の蛇行バンド（２０）を備え得る。隣接した蛇行バンド（２０）は、少なくとも１本の接続ストラット（１６）によって接続される。蛇行バンド（２０）は、交互に位置する直線ストラット（３０）およびＳ字型ストラット（３２）を備え得る。接続ストラットは、第１接続ストラット（３６）および第２接続ストラット（３８）を備え得る。第１接続ストラット（３６）は、第２接続ストラット（３８）に対して非平行である。
2009513300.tif 000002
【特許請求の範囲】
【請求項１】
複数の相互に連結した蛇行バンドを備えるステントであって、
各蛇行バンドは、交互に位置する直線ストラットとＳ字型ストラットとを有し、前記Ｓ字型ストラットは山および谷を形成し、各直線ストラットは、一端において１本のＳ字型ストラットに接続されており、他端において別のＳ字型ストラットに接続されており、各Ｓ字型ストラットは、一端において１本の直線ストラットに接続されており、他端において別の直線ストラットに接続されており、Ｓ字型ストラットの一端は山において直線ストラットの一端に接続されており、Ｓ字型ストラットの別の一端は谷において直線ストラットの一端に接続されており、
隣接した蛇行バンド同士は複数の線形連結部によって接続されており、各線形連結部は、１本の蛇行バンドの山から、その蛇行バンドに隣接する別の蛇行バンドの谷へ延在する、ステント。
【請求項２】
第１の向きを有する第１蛇行バンドと、第１の向きとは異なる第２の向きを有する第２蛇行バンドとをさらに備える、請求項１に記載のステント。
【請求項３】
第１蛇行バンドおよび第２蛇行バンドは、ステントの長さに沿って交互に位置する、請求項２に記載のステント。
【請求項４】
第１線形連結部および第２線形連結部さらに備え、第２線形連結部は第１線形連結部に対して非平行である、請求項３に記載のステント。
【請求項５】
第１線形連結部はすべて互いに平行である、請求項４に記載のステント。
【請求項６】
第２線形連結部はすべて互いに平行である、請求項５に記載のステント。
【請求項７】
第１線形連結部とステントの長さ方向軸線との間の第１角度は、第２線形連結部とステントの長さ方向軸線との間の第２角度の実質的な鏡像からなり、前記実質的な鏡像はステントの周線をはさんで得られる、請求項４に記載のステント。
【請求項８】
第１線形連結部は、第１蛇行バンドの谷から第２蛇行バンドの山へ延在する、請求項４に記載のステント。
【請求項９】
第１線形連結部は、谷から、その谷のＳ字型ストラットを備える側の方向に延在する、請求項８に記載のステント。
【請求項１０】
第２線形連結部は、第２蛇行バンドの谷から第１蛇行バンドの山へ延在する、請求項８に記載のステント。
【請求項１１】
第２線形連結部は、谷から、その谷の直線ストラットを備える側の方向に延在する、請求項１０項に記載のステント。
【請求項１２】
直線ストラットは幅を有し、直線ストラットに接続される谷は、直線ストラットの幅より大きな幅を備える、請求項１に記載のステント。
【請求項１３】
蛇行バンドの各谷はステントの周方向において整合されている、請求項１に記載のステント。
【請求項１４】
蛇行バンドは第１の山および第２の山を備え、第１の山はステントの第１の周方向において整合されており、第２の山は第１の周方向から偏位したステントの第２の周方向において整合されている、請求項１に記載のステント。
【請求項１５】
第１の山および第２の山を有する蛇行バンドは、第１の谷および第２の谷をさらに備え、第１の谷はステントの第３の周方向において整合されており、第２の谷は第３の周方向から偏位したステントの第４の周方向において整合されている、請求項１４に記載のステント。
【請求項１６】
蛇行バンドおよび線形連結部は複数のセルを画成し、各セルは複数の接続されていない山および谷を備え、接続されていない山は１本の蛇行バンド上に配置され、接続されていない谷は隣接した蛇行バンド上に配置される、請求項１に記載のステント。
【請求項１７】
複数の相互に連結した蛇行バンドを備えるステントであって、
各蛇行バンドは、交互に位置する直線ストラットとＳ字型ストラットとを有し、前記Ｓ字型ストラットは山および谷を形成し、各直線ストラットは、一端において１本のＳ字型ストラットに接続されており、他端において別のＳ字型ストラットに接続されており、各Ｓ字型ストラットは、一端において１本の直線ストラットに接続されており、他端において別の直線ストラットに接続されており、Ｓ字型ストラットの一端は山において直線ストラットの一端に接続されており、Ｓ字型ストラットの別の一端は谷において直線ストラットの一端に接続されており、
隣接した蛇行バンド同士は複数の連結部によって接続されており、各連結部は、１本の蛇行バンドの山から、その蛇行バンドに隣接する別の蛇行バンドの谷へ延びており、
前記連結部は、第１方向に延びる第１直線連結部と、第１方向に対して非平行である第２方向に延びる第２直線連結部とを備える、ステント。
【請求項１８】
第１直線連結部は、山から、その山のＳ字型ストラットを備える側の方向に延びている、請求項１７に記載のステント。
【請求項１９】
第２直線連結部は、山から、その山の直線ストラットを備える側の方向に延びている、請求項１８に記載のステント。
【請求項２０】
複数の相互に連結した蛇行バンドを備えるステントであって、
各蛇行バンドは、交互に位置する直線ストラットとＳ字型ストラットとを有し、前記Ｓ字型ストラットは山および谷を形成し、各直線ストラットは、一端において１本のＳ字型ストラットに接続されており、他端において別のＳ字型ストラットに接続されており、各Ｓ字型ストラットは、一端において１本の直線ストラットに接続されており、他端において別の直線ストラットに接続されており、Ｓ字型ストラットの一端は山において直線ストラットの一端に接続されており、Ｓ字型ストラットの別の一端は谷において直線ストラットの一端に接続されており、
隣接した蛇行バンド同士は複数の線形連結部によって接続されており、前記連結部は、１本のバンドの山から、それに隣り合うバンドの谷へと延びており、
前記蛇行バンドおよび連結部は複数のセルを画成し、各セルは複数の接続されていない山および谷を備え、接続されていない山は、１本の蛇行バンド上に配置され、接続されていない谷は隣接した蛇行バンド上に配置される、ステント。
【発明の詳細な説明】
【技術分野】
【０００１】
本発明は、一部の実施形態において、埋め込み型医療装置、それらの製造および使用方法に関する。一部の実施形態は、そのような装置の搬送に用いられるあらゆる種類のカテーテルシステムなどの搬送システムに関する。
【背景技術】
【０００２】
ステントは体内管腔に導入される医療装置であり、当業においてよく知られている。典型的には、ステントは、狭窄または動脈瘤の部位で血管内に、内管腔的に、すなわち、所謂「最小侵襲性技術」によって、埋め込まれる。「最小侵襲性技術」において、半径方向に縮小された形態にあり、随意でシースおよび／またはカテーテルによって半径方向に圧縮された形態に拘束されたステントは、ステント搬送システムまたは「イントロデューサ」によって、該ステントが必要とされる部位に搬送される。イントロデューサは、患者の皮膚を介して、あるいは進入血管が軽度の外科的手段によって露出させられる「切開」術などのように、身体外部のアクセス位置から身体内に進入し得る。
【０００３】
以下においては一括してステントと称されるステント、グラフト、ステントグラフト、大静脈フィルタ、拡張可能な骨組および同様の埋め込み型医療装置は、半径方向に拡張可能な内部人工器官である。前記内部人工器官は、典型的には、経管的に埋め込むことができ、経皮的に導入された後に半径方向に拡張され得る脈管内インプラントである。ステントは、脈管系、尿管、胆管、卵管、冠状血管、二次管などのような様々な体内管腔または体内管に埋め込まれ得る。ステントは、自己拡張型であってもよいし、バルーンに取り付けられた時のように内部の半径方向の力によって拡張されてもよいし、または自己拡張型とバルーン拡張型との組み合わせ（ハイブリッド拡張型）であってもよい。
【０００４】
ステントは、管状材料から、切断またはエッチングした後に丸められる平坦なシートから、または１本以上の織り込まれたワイヤーまたは編組から、図案（ｄｅｓｉｇｎ）を切断またはエッチングすることを含む方法によって生成され得る。
【０００５】
上記で参照および／または記載した当業は、本願に引用した任意の特許、公開公報または他の情報が本発明に関して「先行技術」であるという承認をなすようには意図されていない。さらに、この節は、米国特許法施行規則第１．５６条（ａ）に定義されているように、調査がなされていること、または他の関連情報が存在しないことを意味すると解釈されるべきでない。
【０００６】
本出願のあらゆる箇所で言及するすべての米国特許および出願、並びに他のすべての公開文書は、参照によりそれらの全容が本願に援用される。特許文献１および２は、参照により余すところなく本願に援用される。
【０００７】
本発明の範囲を限定することなく、本発明の権利請求された実施形態のうちのいくつかの概要を以下に述べる。本発明の要約した実施形態の付加的な詳細、および本発明の付加的な実施形態は、以下の発明の詳細な説明に見られ得る。
【０００８】
明細書における技術的な開示の簡潔な要約書は、同様に、米国特許法施行規則第１．７２条に準拠することを目的としてのみ提供される。要約書は、請求項の範囲の解釈のために用いられるものではない。
【特許文献１】米国特許出願公開第２００４／０２６７３５３号明細書
【特許文献２】米国特許出願公開第２００２／００９５２０８号明細書
【発明の開示】
【発明が解決しようとする課題】
【０００９】
本発明の目的は、体内管腔への搬送および体内管腔における留置を良好に行うことのできるステントを提供することにある。
【課題を解決するための手段】
【００１０】
少なくとも一実施形態において、本発明は、複数の相互に接続した蛇行バンドを備えるステントであって、各蛇行バンドは交互に位置する直線ストラットとＳ字型ストラットとを有し、前記Ｓ字型ストラットは山および谷を形成するステントに関する。各直線ストラットは、一端において１本のＳ字型ストラットに接続されており、他端において別のＳ字型ストラットに接続されている。各Ｓ字型ストラットは、一端において１本の直線ストラットに接続されており、他端において別の直線ストラットに接続されている。Ｓ字型ストラットの一端は、山において直線ストラットの一端に接続されており、Ｓ字型ストラットの別の一端は、谷において直線ストラットの一端に接続されている。隣接した蛇行バンド同士は、複数の直線連結部によって接続されており、それらの直線連結部は、１本の蛇行バンドの山からそれに隣接する蛇行バンドの谷へ延在する。
【００１１】
少なくとも１つの他の実施形態において、ステントは、複数の相互に接続した蛇行バンドを備え、各蛇行バンドは交互に位置する直線ストラットとＳ字型ストラットとを有し、前記Ｓ字型ストラットは山および谷を形成する。各直線ストラットは、一端において１本のＳ字型ストラットに接続されており、他端において別のＳ字型ストラットに接続されている。各Ｓ字型ストラットは、一端において１本の直線ストラットに接続されており、他端において別の直線ストラットに接続されている。Ｓ字型ストラットの一端は、山において直線ストラットの一端に接続されており、Ｓ字型ストラットの別の一端は、谷において直線ストラットの一端に接続されている。隣接した蛇行バンド同士は、複数の直線連結部によって接続されており、それらの直線連結部は、１本のバンドの山からそれに隣接するバンドの谷へ延在する。蛇行バンドおよび連結部は複数のセルを画定し、各セルは複数の接続されていない山および谷を備える。接続されていない山は、１本の蛇行バンド上に配置されており、接続されていない谷は隣接した蛇行バンド上に配置されている。
【００１２】
少なくとも１つの他の実施形態において、ステントは、複数の相互に接続した蛇行バンドを備え、各蛇行バンドは交互に位置する直線ストラットとＳ字型ストラットとを有し、前記Ｓ字型ストラットは山および谷を形成する。各直線ストラットは、一端において１本のＳ字型ストラットに接続されており、他端において別のＳ字型ストラットに接続されている。各Ｓ字型ストラットは、一端において１本の直線ストラットに接続されており、他端において別の直線ストラットに接続されている。Ｓ字型ストラットの一端は、山において直線ストラットの一端に接続されており、Ｓ字型ストラットの別の一端は、谷において直線ストラットの一端に接続されている。隣接した蛇行バンド同士は、複数の連結部によって接続されており、その連結部は、１本のバンドの山からそれに隣接するバンドの谷へ延在する。前記連結部は、第１方向に延びる第１連結部と、第１方向に対して非平行である第２方向に延びる第２連結部とを備える。
【００１３】
少なくとも１つの他の実施形態において、ステントは、複数の相互に接続した蛇行バンドを備え、各蛇行バンドは交互に位置する直線ストラットとＳ字型ストラットとを有し、前記Ｓ字型ストラットは山および谷を形成する。各直線ストラットは、一端において１本のＳ字型ストラットに接続されており、他端において別のＳ字型ストラットに接続されている。各Ｓ字型ストラットは、一端において１本の直線ストラットに接続されており、他端において別の直線ストラットに接続されている。Ｓ字型ストラットの一端は、山において直線ストラットの一端に接続されており、Ｓ字型ストラットの別の一端は、谷において直線ストラットの一端に接続されている。隣接した蛇行バンド同士は、複数の連結部によって接続されてセルを形成し、周方向において隣り合うセルは、異なる大きさを有する。
【００１４】
少なくとも１つの他の実施形態において、ステントは蛇行バンドを備え、蛇行バンドは、交互に位置する山および谷によって接続された複数のストラットを備える。前記ストラットは、外面、内面、２つの側壁を有する、複数の突出部付きストラットを備える。側壁のうちの一方はＳ字型状であり、他方の側壁は異なる形状を有する。
【００１５】
少なくとも１つの他の実施形態において、ステントは複数の蛇行バンドを備え、各蛇行バンドは、屈曲部によって接続された複数のストラットを備える。屈曲部は、交互に位置する山および谷を備える。前記ステントは、複数の接続ストラットをさらに備える。隣接した蛇行バンド同士は、少なくとも１本の接続ストラットによって接続され、各接続ストラットは、１本の蛇行バンドの谷から別の蛇行バンドの山へ延在する。第１蛇行バンドは、複数の第１の谷および第２の谷を備える。第１の谷はステントの周方向において整合されており、第２の谷は第１の谷から長手方向に偏位されている。第２蛇行バンドは複数の第１の山および第２の山を備える。第１の山はステントの周方向において整合されており、第２の山は第１の山から長手方向に偏位されている。第１接続ストラットは、ステントの長さ方向軸線に対して角度をなして指向されており、第１の谷と第１の山とを接続する。第２の谷は、第１接続ストラットに接続される第１の山と長手方向において整合され、第２の山は、第１接続ストラットに接続される第１の谷と長手方向において整合される。
【００１６】
少なくとも１つの他の実施形態において、ステントは複数の第１蛇行バンドと、複数の第２蛇行バンドとを備える。各第１蛇行バンドは、屈曲部によって接続された複数の直線ストラットを備え、屈曲部は交互に位置する山および谷を備える。各第２蛇行バンドは、屈曲部によって接続された複数の湾曲ストラットを備え、前記屈曲部は交互に位置する山および谷を備える。前記ステントは複数の接続ストラットをさらに備え、隣接した蛇行バンドは少なくとも１本の接続ストラットによって接続されている。各接続ストラットは、１本の蛇行バンドの谷から別の蛇行バンドの山へ延在する。第１蛇行バンドおよび第２蛇行バンドは、ステントの長さに沿って交互に位置する。
【００１７】
少なくとも１つの他の実施形態において、ステントは複数の蛇行バンドを備え、各蛇行バンドは、屈曲部によって接続された複数のストラットを備え、前記屈曲部は交互に位置する山および谷を備える。蛇行バンドは複数の第１蛇行バンドを備え、各第１蛇行バンドは、交互に位置する山および谷によって接続された複数の直線ストラットを備える。少なくとも１本の第１蛇行バンドは、第１の山、複数の第２の山、第１の谷、および複数の第２の谷を備える。第２の山はステントの周方向に整合され、第１の山は第２の山から長手方向に偏位されている。第２の谷はステントの周方向に整合され、第１の谷は第２の谷から長手方向に偏位されている。前記蛇行バンドは複数の第２蛇行バンドをさらに備え、各第２蛇行バンドは、交互に位置する山および谷によって接続された複数の湾曲ストラットを備える。複数の第２蛇行バンドは、第１の山、複数の第２の山、第１の谷および複数の第２の谷を備える。第２の山はステントの周方向に整合され、第１の山は第２の山から長手方向に偏位されている。第２の谷はステントの周方向に整合され、第１の谷は第２の谷から長手方向に偏位されている。長手方向に隣接する蛇行バンド同士は、接合部によって接続され、該接合は第１の山に接続される第１の谷を含む。
【００１８】
本発明を特徴づけるこれらおよび他の実施形態は、本願に添付され、本願の一部をなす特許請求の範囲における詳細事項によって示される。しかしながら、本発明についてのさらなる理解、その使用によって得られる利点および目的のために、本発明の実施形態が例示され記載されている、本願のさらなる部分をなす図面および付随する記載事項を参照すべきである。
【発明を実施するための最良の形態】
【００１９】
本発明の詳細な説明は、以下において図面に付されている特定の参照番号と共に記載される。
本発明は様々な形態において具体化されていてもよいが、本願においては本発明の特定の実施形態について詳細に記載する。この記載は、本発明の原理の例示であり、本発明を示した特定の実施形態に限定することを意図するものではない。
【００２０】
図面には本発明の様々な態様が表されている。ある図面に表された要素は、所望により、別の図面に表された要素と、組み合わされてもよいし、かつ／または置き換えられてもよい。この開示のために、図中の同一参照数字は、別段の指示がない限り、同一の特徴を指すものとする。
【００２１】
図１〜図１２は、ステント１０のパターンの様々な実施形態を示す。ステント１０の各実施形態は、基端１２および先端１４を有し、さらに複数の蛇行バンド２０を備える。各蛇行バンド２０は複数のストラット２２を備え、各ストラット２２は第１端部２１および第２端部２３を有する。蛇行バンド２０内において周方向に隣接するストラット２２は、屈曲部２８によって接続される。蛇行バンド２０の基端側に位置する屈曲部２８は、基端側の山２４を備え、蛇行バンド２０の先端側に位置する屈曲部２８は、先端側の溝または谷２６を備える。
【００２２】
ステントの１０の長さに沿って隣り合う蛇行バンド２０は、少なくとも１本の接続ストラット１６によって接続される。一部の実施形態において、接続ストラット１６は隣接した蛇行バンド２０の屈曲部２８間に及んでもよい。例えば、接続ストラット１６の第１端部１７は１本の蛇行バンド２０の先端側の谷２６に接続し、接続ストラット１６の第２端部１８は、隣接した蛇行バンド２０の基端側の山２４に接続し得る。
【００２３】
蛇行バンド２０のストラット２２は、直線ストラット３０および／または湾曲ストラット３２を備え得る。直線または線形ストラット３０は、その長さに沿ってほぼ直線をなす。湾曲ストラット３２は、望ましくはその長さに沿って湾曲を備える。一部の実施形態において、湾曲ストラット３２はＳ字型を含み得る。一部の実施形態において、Ｓ字型は、第１湾曲部３４および第２湾曲部３５を備える。第１湾曲部３４の湾曲の向きは、第２湾曲部３５の湾曲の向きと異なっていてもよい。例えば、第１湾曲部３４が凸状であると考えられる場合、第２湾曲部３５は凹状であると考えられ得る。Ｓ字型ストラット３２は、湾曲の向きが変化する変曲点３３を備えてもよい。一部の実施形態において、Ｓ字型は、第１部分４６、第２部分４７および第３部分４８を備え得る。第１部分４６および第３部分４８は互いに平行またはほぼ平行であり、かつステントの長さ方向軸線１１に対して角度をなして延び得る。第２部分４７は、第１部分４６と第３部分４８との間の中央に位置し、ステントの長さ方向軸線に対して、第１部分４６または第３部分４８とは異なる角度をなして延び得る。一部の実施形態において、ステントの長さ方向軸線１１と第１部分４６との間の角度は、ステントの長さ方向軸線１１と第２部分４７との間の角度の鏡像からなってもよい。前記鏡像は、ステントの周線（ｃｉｒｃｕｍｆｅｒｅｎｔｉａｌ  ｌｉｎｅ）をはさんで得られる。
【００２４】
一部の実施形態において、蛇行バンド２０は、交互に位置する直線ストラット３０および湾曲またはＳ字型ストラット３２を備え得る。各直線ストラット３０は２つの湾曲ストラット３２の間に配され得る。したがって、直線ストラット３０の第１端部２１は、直線ストラット３０の一方の側に位置する湾曲ストラット３２に接続され得る基端側の山２４に対して接続され得る。直線ストラット３０の第２端部２３は、直線ストラット３０の他方の側に位置する別の湾曲ストラット３２に接続され得る先端側の谷２６に対して接続され得る。同様に、各湾曲ストラット３２は２つの直線ストラット３０の間に配されてもよい。したがって、湾曲ストラット３２の第１端部２１は、湾曲ストラット３２の一方の側に位置する直線ストラット３０に接続され得る基端側の山２４に対して接続され得る。湾曲ストラット３２の第２端部２３は、湾曲ストラット３２の他方の側に位置する別の直線ストラット３０に接続され得る先端側の谷２６に対して接続され得る。
【００２５】
各ストラット２２は幅を有する。一部の実施形態において、ストラット２２はすべて同じ幅を有してもよい。一部の実施形態において、湾曲ストラット３２は直線ストラット３０とは異なる幅を有してもよい。様々な他の実施形態において、個々のストラット２２は各々任意の適当な幅寸法を有し得る。
【００２６】
各屈曲部２８は幅を有する。一部の実施形態において、屈曲部２８の幅は、ステント１０の１本以上のストラット２２の幅より大きくてもよい。一部の実施形態において、屈曲部２８の幅は、ステント１０の１本以上のストラット２２の幅より小さくてもよい。一部の実施形態において、屈曲部２８の幅は、該屈曲部の一端から他端にかけて変化してもよい。例えば、屈曲部２８は、直線ストラット３０と同じ幅を有する一端において直線ストラット３０に接続し得る。屈曲部２８の幅は増大してもよく、一部の実施形態において、屈曲部の中点で最大値に達してもよい。次に、屈曲部２８の幅は、屈曲部２８の第２端部に接続され得る湾曲ストラット３２の幅まで減少してもよい。
【００２７】
接続ストラット１６は隣接した蛇行バンド２０間に及ぶ。接続ストラット１６は、屈曲部２８のような蛇行バンド２０の任意の部分に接続してもよいし、または一部の実施形態では、ストラット２２に接続してもよい。一部の実施形態において、接続ストラット１６はその長さに沿って線形であってもよいし、または直線をなしてもよい。
【００２８】
一部の実施形態において、ステント１０は、第１の型の接続ストラット３６および第２の型の接続ストラット３８を備え得る。第１接続ストラット３６は第１方向に延び得る。第１接続ストラット３６は、ステントの長さ方向軸線１１に対して第１角度をなして指向される。第２接続ストラット３８は、第１方向とは異なるか、または第１方向に対して非平行である第２方向に延び得る。したがって、第２接続ストラット３８はステントの長さ方向軸線１１に対して第２角度をなして指向され、第２角度は第１角度とは異なる。一部の実施形態において、第１角度および第２角度は同じ大きさだが異なる向きを有していてもよい。例えば、第１接続ストラット３６は、ステントの長さ方向軸線１１と７０°の角度を形成し、一方、第２接続ストラット３８はステントの長さ方向軸線１１と−７０°（ｎｅｇａｔｉｖｅ  ７０°）の角度を形成してもよい。一部の実施形態において、第１角度は、ステントの長さ方向軸線１１に平行な線をはさんだ第２角度の鏡像からなってもよい。
【００２９】
一部の実施形態において、ステント１０の第１接続ストラット３６はすべて互いに平行であってもよい。一部の実施形態において、第１接続ストラット３６は、直線ストラット３０を湾曲ストラット３２に接続する屈曲部２８の間に延在し得る。一部の実施形態において、第１接続ストラット３６の両側は、屈曲部２８から、その屈曲部２８の湾曲ストラット３２に接続する側の方向に延び得る。
【００３０】
一部の実施形態において、ステント１０の第２接続ストラット３８はすべて互いに平行であってもよい。一部の実施形態において、第２接続ストラット３８は、直線ストラット３０を湾曲ストラット３２に接続する屈曲部２８の間に延在し得る。一部の実施形態において、第２接続ストラット３８の両側は、屈曲部２８から、屈曲部２８の直線ストラット３０に接続する側の方向に延び得る。
【００３１】
各蛇行バンド２０は、接続ストラット１６が延出しない非接続屈曲部２９を備えてもよい。
ステント１０は、任意の適当な数の蛇行バンド２０を有し得る。一部の実施形態において、ステント１０は、偶数個の蛇行バンド２０を備えてもよい。一部の実施形態において、図４、図６および図８に示すように、例えば、ステント１０は、奇数個の蛇行バンド２０を備えてもよい。
【００３２】
ステント１０は、１本の蛇行バンド２０に対して、任意の適当な数のストラット２２を有し得る。ステント１０は、隣接した蛇行バンド２０の間に延びる任意の適当な数の接続ストラット１６をさらに有してもよい。
【００３３】
ステント１０は、複数のセル４０を備え得る。セル４０は、蛇行バンド２０と接続ストラット１６との間のステント１０の壁部に位置する開口を備え得る。一部の実施形態において、セル４０は、蛇行バンド２０、接続ストラット１６、別の蛇行バンド２０および別の接続ストラット１６によって境界され得る。
【００３４】
一部の実施形態において、例えば、図１〜図４、図７、図９および図１０に示すように、蛇行バンド２０は偶数個の基端側の山２４と、偶数個の先端側の谷２６とを備える。ステント１０は、隣接した蛇行バンド２０の間に延びる偶数個の接続ストラット１６をさらに備える。接続ストラット１６が隣接した蛇行バンド２０の屈曲部２８の間に均等に分散される場合、隣接した蛇行バンド２０の間に配される複数のセル４０は、大きさおよび形状において類似している。隣接する接続ストラット１６の間に等しい数の非接続屈曲部２９が配されている場合、接続ストラット１６は、隣接した蛇行バンド２０の屈曲部２８の間に均等に分散されていると見なされ得る。例えば、ステント１０は、蛇行バンド４１および隣接した蛇行バンド４３を備え得る。一部の実施形態において、隣接する蛇行バンド４１，４３の間には２本の接続ストラット１６が延在し得る。隣接する蛇行バンド４１，４３の間には、２個のセル４０，４２が配され得る。セル４０を境界する蛇行バンド４１の非接続屈曲部２９の数は、セル４２を境界する蛇行バンド４１の非接続屈曲部２９の数と等しい。セル４０，４２は、大きさおよび形状において類似していてもよい。
【００３５】
一部の実施形態において、例えば、図５、図６、図８、図１１および図１２に示すように、蛇行バンド２０は、奇数個の基端側の山２４と、奇数個の先端側の谷２６とを備える。ステント１０は、隣接した蛇行バンド２０の間に延びる偶数個の接続ストラット１６をさらに備える。蛇行バンドの奇数個の屈曲部２８と、偶数個の接続ストラット１６は、隣接した蛇行バンド２０の屈曲部２８の間に均等には分散されていない接続ストラット１６を生じる。隣接した蛇行バンド２０の間に配されたセル４０は、大きさおよび形状において異なっていてもよい。例えば、ステント１０は、蛇行バンド４１および隣接した蛇行バンド４３を備え得る。隣接する蛇行バンド４１，４３の間には、２本の接続ストラット１６が延在し得る。隣接する蛇行バンド４１，４３の間には、２個のセル４０，４４が配され得る。セル４０を境界する蛇行バンド４１の非接続屈曲部２９の数は、セル４４を境界する蛇行バンド４１の非接続屈曲部２９の数に等しくない。セル４０，４４は、大きさおよび形状において異なっていてもよい。
【００３６】
一部の実施形態において、例えば、図１および図４〜１２に示すように、蛇行バンド２０の基端側の山２４は周方向において整合されており、かつ蛇行バンド２０の先端側の谷２６は周方向において整合されている。例えば、蛇行バンド２０の基端側の山２４の基端側の外側面（ｏｕｔｅｒ  ｐｒｏｘｉｍａｌ  ｓｉｄｅ）と接触する、ステント１０の周上に配された基準線８は、すべての蛇行バンド２０の基端側の山２４の基端側の外側面と接触し得る。一部の実施形態において、蛇行バンド２０の先端側の谷２６が同様に整合されてもよい。
【００３７】
一部の実施形態において、図２および図３に示すように、例えば、蛇行バンド２０の基端側の山２４の一部は、該バンド２０の他の基端側の山２４から長手方向に偏位されている。一部の実施形態において、同様に、蛇行バンド２０の先端側の谷２６の一部は、該バンド２０の他の先端側の谷２６から長手方向に偏位されている。例えば、第１基準線６はステント１０の周面に沿って配され、蛇行バンド２０の先端側の谷２６の一部の先端側の外側面（ｏｕｔｅｒ  ｄｉｓｔａｌ  ｓｉｄｅ）と接触し得る。第２基準線７は、ステント１０の周面に沿って配され、第１基準線６から偏位されており、第１基準線６とは接触しない蛇行バンド２０の少なくとも一部の先端側の谷２６の先端側の外側面と接触し得る。一部の実施形態において、蛇行バンド２０の各先端側屈曲部２６は、第１基準線６または第２基準線７のいずれかと接触し得る。
【００３８】
一部の実施形態において、蛇行バンド２０の基端側屈曲部２４は、第１基端側屈曲部５４および第２基端側屈曲部６４を備える。蛇行バンド２０の先端側屈曲部２６は、第１先端側屈曲部５６および第２先端側屈曲部６６を備える。蛇行バンド２０の第１先端側屈曲部５６は、第２先端側屈曲部６６よりも、ステント１０の先端１４のより近くまで延在し得る。蛇行バンド２０の第１先端側屈曲部５６はすべて、周方向において互いに整合されており、例えば、すべて第１基準線６と接触している。蛇行バンド２０の第２先端側屈曲部６６はすべて、周方向において互いに整合されており、例えば、すべて第２基準線７と接触している。同様に、蛇行バンド２０の第１基端側の屈曲部５４は、第２基端側屈曲部６４よりも、ステント１０の基端１２のより近くまで延在し得る。蛇行バンド２０の第１基端側屈曲部５４はすべて、周方向において互いに整合されており、かつ蛇行バンド２０の第２基端側屈曲部６４はすべて、周方向において互いに整合されている。
【００３９】
一部の実施形態において、各接続ストラット１６は、第１先端側屈曲部５６から第１基端側屈曲部５４へ及び得る。
一部の実施形態において、第２基端側屈曲部６４は、接続ストラット１６に接続する別の蛇行バンド２０の屈曲部２８からセル４０をはさんで位置し得る。第２先端側屈曲部６６は、接続ストラット１６に接続する別の蛇行バンド２０の屈曲部２８からセル４０をはさんで位置し得る。したがって、蛇行バンド２０の波形の振幅は、ステント１０の長さに沿って接続ストラット１６に隣接する領域においてより小さくなり得る。様々な屈曲部２８と接続ストラット１６との間におけるこの離間形態は、望ましく、より良好な緊縮性（ｃｒｉｍｐａｂｉｌｉｔｙ）をもたらし得る。
【００４０】
一部の実施形態において、蛇行バンド２０の様々なストラット２２は、異なる長さを有し得る。一部の実施形態において、蛇行バンド２０の様々なストラット２２は、ストラット２２の第１端部２１と第２端部２３との間においてステントの長さ方向軸線１１と平行な方向において測定されるような、異なる長手方向長さ成分を有し得る。第１基端側屈曲部５４と第１先端側屈曲部５６とを接続するストラット２２は、第１長手方向長さ成分を有し得る。第１基端側屈曲部５４と第２先端側屈曲部６６とを接続するストラット２２、および第２基端側屈曲部６４と第１先端側屈曲部５６とを接続するストラット２２は、第２長手方向長さ成分を有し得る。第２長手方向長さ成分は、第１長手方向長さ成分より小さくてもよい。第２基端側屈曲部６４と第２先端側屈曲部６６とを接続するストラット２２は、第３長手方向長さ成分を有し得る。第３長手方向長さ成分は、第２長手方向長さ成分より小さくてもよい。
【００４１】
図１２は、Ｓ字型ストラット３２が第１側壁６１および第２側壁６２を備えるステント１０用のパターンの実施形態を示す。側壁６１，６２は、望ましくは、ステントの半径方向に指向される。第１側壁６１はＳ字型を備える。第２側壁６２は、第１側壁６１と異なる形状を備える。一部の実施形態において、第２側壁６２は直線状であり得る。各Ｓ字型ストラット３２は幅において変化してもよく、また第１部分６３および第２部分６５を備える。第１部分６３は、直線ストラット３０の幅と等しくてよい第１幅を有し得る。第２部分６５は、第１部分６３の幅より大きくてよい可変の幅を有し得る。第２部分６５は、Ｓ字型ストラット３２の突出部６７を備え得る。
【００４２】
図１３は、接続ストラット１６によって接続される蛇行バンド２０を備えるステント１０用のパターンの別の実施形態を示す。蛇行バンド２０の湾曲ストラット３２は、第１部分５０および第２部分５２を備える。第１部分５０は、ステントの長さ方向軸線１１に対してある角度をなして延び、第２部分５２はステントの長さ方向軸線１１に対して別の角度をなして延びている。
【００４３】
蛇行バンド２０は、第１蛇行バンド５１および第２蛇行バンド５３をさらに備える。第１蛇行バンド５１に含まれる湾曲ストラット３２は、第１の向きの湾曲を有する。第２蛇行バンド５３に含まれる湾曲ストラット３２は、第１の向きとは異なる第２の向きの湾曲を有する。例えば、所与の基準点から、第１蛇行バンド５１に含まれる湾曲ストラット３２が凸形であると考えられる場合、第２蛇行バンド５３に含まれる湾曲ストラット３２は凹形であると考えられ得る。
【００４４】
図１４は、接続ストラット１６によって接続される蛇行バンド２０を備えるステント１０用のパターンの別の実施形態を示す。先に述べたように、図中の同様の参照数字は本願に記載される同様の特徴を指すものとする。蛇行バンドは、第１蛇行バンド５８および第２蛇行バンド６０を備える。第１蛇行バンド５８および第２蛇行バンド６０は、ステント１０の長さに沿って交互に位置し得る。
【００４５】
第１蛇行バンド５８は、屈曲部２８によって接続された直線ストラット３０を備える。第２蛇行バンド６０は、屈曲部によって接続された湾曲ストラット３２を備える。各屈曲部２８は幅を有し、屈曲部２８の幅はステント１０の１本以上のストラット２２の幅より大きくてもよい。屈曲部２８の幅は、その両端においてストラット２２の幅から増大して、屈曲部２８の中点で最大に達し得る。一部の実施形態において、屈曲部２８の幅は、ステント１０の１本以上のストラット２２の幅より小さくてもよく、屈曲部２８の幅は、その両端においてストラット２２の幅から減少して、屈曲部２８の中点で最小に達し得る。
【００４６】
接続ストラット１６は、第１の型の接続ストラット３６および第２の型の接続ストラット３８を備え得る。第１接続ストラット３６は、ステントの長さ方向軸線１１に対して第１角度をなして指向された第１方向に延びている。第２接続ストラット３８は、第１方向とは異なるか、または第１方向に対して非平行である第２方向に延び得る。
【００４７】
第１接続ストラット３６は、第１蛇行バンド５８の先端側の谷２６から第２蛇行バンド６０の基端側の山２４へ延在する。第２接続ストラット３８は、第２蛇行バンド６０の先端側の谷２６から第１蛇行バンド５８の基端側の山２４へ延在する。
【００４８】
図１５は、第１蛇行バンド５８および第２蛇行バンド６０を備えるステント１０用のパターンの別の実施形態を示す。蛇行バンド２０の基端側屈曲部２４は、第１基端側屈曲部５４および第２基端側屈曲部６４を備える。蛇行バンド２０の先端側屈曲部２６は、第１先端側屈曲部５６および第２先端側屈曲部６６を備える。蛇行バンド２０の第１先端側屈曲部５６は、第２先端側屈曲部６６よりも、ステント１０の先端１４のより近くまで延びている。蛇行バンド２０の第２先端側屈曲部６６はすべて、周方向において互いに整合されている。同様に、蛇行バンド２０の第１基端側屈曲部５４は、第２基端側屈曲部６４よりも、ステント１０の基端１２のより近くまで延びている。蛇行バンド２０の第２基端側屈曲部６４はすべて、周方向において互いに整合されている。
【００４９】
蛇行バンド２０の様々なストラット２２は、ストラット２２の第１端部２１と第２端部２３との間においてステントの長さ方向軸線１１と平行な方向において測定されるような、異なる長手方向長さ成分を有し得る。第１基端側屈曲部５４または第１先端側屈曲部５６に接続するストラット２２は、第１長手方向長さ成分を有し得る。第２基端側屈曲部６４と第２先端側屈曲部６６とを接続するストラット２２は、第２長手方向長さ成分を有し得る。第２長手方向長さ成分は、第１長手方向長さ成分より小さくてもよい。
【００５０】
隣接した蛇行バンド２０同士は、少なくとも１つの接合部１９によって接続され得る。接合部１９は、第１基端側屈曲部５４に付着された（ａｔｔａｃｈｅｄ  ｔｏ）第１先端側屈曲部５６を含み得る。
【００５１】
図１６は、第１蛇行バンド５８および第２蛇行バンド６０を備えるステント１０用のパターンの別の実施形態を示す。第２蛇行バンド６０は、屈曲部２８によって接続された湾曲ストラット３２を備える。第２蛇行バンド６０の基端側屈曲部２４は、第１基端側屈曲部５４および第２基端側屈曲部６４を備える。第２蛇行バンド６０の先端側屈曲部２６は、第１先端側屈曲部５６および第２先端側屈曲部６６を備える。第１先端側屈曲部５６は、第２先端側屈曲部６６よりも、ステント１０の先端１４のより近くまで延びている。第２先端側屈曲部６６はすべて、周方向において互いに整合されている。同様に、第１基端側屈曲部５４は、第２基端側屈曲部６４よりも、ステント１０の基端１２のより近くまで延びている。第２基端側屈曲部６４はすべて、周方向において互いに整合されている。
【００５２】
第２蛇行バンド６０の様々なストラット２２は、ストラット２２の第１端部２１と第２端部２３との間においてステントの長さ方向軸線１１と平行な方向において測定されるような異なる長手方向長さ成分を有し得る。第１基端側屈曲部５４または第１先端側屈曲部５６とを接続するストラット２２は、第１長手方向長さ成分を有し得る。第２基端側屈曲部６４と第２先端側屈曲部６６とを接続するストラット２２は、第２長手方向長さ成分を有し得る。第２長手方向長さ成分は、第１長手方向長さ成分より小さくてもよい。
【００５３】
隣接した蛇行バンド２０同士は、少なくとも１つの接合部２５によって接続される。接合部２５は、隣接した蛇行バンド２０の任意の部分に付着された第１基端側屈曲部５４または第１先端側屈曲部５６を含む。
【００５４】
図１７は、接続ストラット１６によって接続される蛇行バンド２０を備えるステント１０用のパターンの別の実施形態を示す。蛇行バンド２０は基端側屈曲部２４および先端側屈曲部２６を備える。基端側屈曲部２４は、第１基端側屈曲部５４および第２基端側屈曲部６４を備え得る。蛇行バンド２０の先端側屈曲部２６は、第１先端側屈曲部５６および第２先端側屈曲部６６を備え得る。蛇行バンド２０の第１先端側屈曲部５６は、第２先端側屈曲部６６よりも、ステント１０の先端１４のより近くまで延びている。蛇行バンド２０の第１先端側屈曲部５６はすべて、周方向において互いに整合されており、かつ蛇行バンド２０の第２先端側屈曲部６６はすべて、周方向において互いに整合されている。同様に、蛇行バンド２０の第１基端側屈曲部５４は、第２基端側屈曲部６４よりも、ステント１０の基端１２のより近くまで延びている。蛇行バンド２０の第１基端側屈曲部５４はすべて、周方向において互いに整合されており、かつ蛇行バンド２０の第２基端側屈曲部６４はすべて、周方向において互いに整合されている。
【００５５】
接続ストラット１６は、第１先端側屈曲部５６から第１基端側屈曲部５４に及び得る。
蛇行バンド２０の様々なストラット２２は、ストラット２２の第１端部２１と第２端部２３との間においてステントの長さ方向軸線１１と平行な方向において測定されるような異なる長手方向長さ成分を有し得る。第１基端側屈曲部５４と第１先端側屈曲部５６とを接続するストラット２２は、第１長手方向長さ成分を有し得る。第１基端側屈曲部５４と第２先端側屈曲部６６とを接続するストラット２２、および第２基端側屈曲部６４と第１先端側屈曲部５６とを接続するストラット２２は、第２長手方向長さ成分を有し得る。第２長手方向長さ成分は、第１長手方向長さ成分より小さくてもよい。第２基端側屈曲部６４と第２先端側屈曲部６６との間に接続するストラット２２は、第３長手方向長さ成分を有し得る。第３長手方向長さ成分は、第２長手方向長さ成分より小さくてもよい。
【００５６】
蛇行バンド２０は、別法として、交互に位置する直線ストラット３０とＺ字型ストラット６８を備えるものとして説明することもできる。前記直線ストラット３０およびＺ字型ストラット６８は、交互に位置する第１基端側屈曲部５４および第１先端側屈曲部５６によって互いに接続され得る。Ｚ字型ストラット６８は、第１部分７６、第２先端側屈曲部６６、第２部分７７、第２基端側屈曲部６４、および第３部分７８を備え得る。各部分７６，７７，７８はその長さに沿って直線状であり得る。第１部分７６および第３部分７８は、互いに平行であるか、またはほぼ平行であり、かつステントの長さ方向軸線１１に対して角度をなして延在し得る。第２部分７７は、第１部分４６と第３部分４８との間に配され、ステントの長さ方向軸線に対して、第１部分４６または第３部分４８とは異なる角度をなして延在し得る。一部の実施形態において、ステントの長さ方向軸線１１と第１部分４６との間の角度は、ステントの長さ方向軸線１１と第２部分４７との間の角度の鏡像からなってもよい。前記鏡像は、ステントの長さ方向軸線１１と平行な線をはさんで得られる。
【００５７】
図１８は、図１７の実施形態に類似したステント１０用のパターンの実施形態を示す。該実施形態では、接続ストラット１６は、第１の型の接続ストラット３６および第２の型の接続ストラット３８をさらに備える。第１接続ストラット３６は第１方向へ延在する。第１接続ストラット３６は、ステントの長さ方向軸線１１に対して第１角度をなして指向されている。第２接続ストラット３８は、第１方向とは異なるか、または第１方向に対して非平行である第２方向に延在し得る。したがって、第２接続ストラット３８はステントの長さ方向軸線１１に対して第２角度をなして指向され、第２角度は第１角度とは異なる。一部の実施形態において、第１角度および第２角度は同じ大きさだが異なる向きを有していてもよい。例えば、第１接続ストラット３６は、ステントの長さ方向軸線１１と７０°の角度を形成し、一方、第２接続ストラット３８は、ステントの長さ方向軸線１１と−７０°の角度を形成し得る。一部の実施形態において、第１角度は、ステントの長さ方向軸線１１に平行な線をはさんだ第２角度の鏡像からなってもよい。
【００５８】
一部の実施形態において、ステント１０の第１接続ストラット３６はすべて互いに平行であってもよい。一部の実施形態において、第１接続ストラット３６は、直線ストラット３０をＺ字型ストラット６８に対して接続する屈曲部２８の間に延在し得る。一部の実施形態において、第１接続ストラット３６の両側は、屈曲部２８から、屈曲部２８のＺ字型ストラット６８に対して接続する側の方向に延び得る。
【００５９】
一部の実施形態において、ステント１０の第２接続ストラット３８はすべて互いに平行であってもよい。一部の実施形態において、第２接続ストラット３８は、直線ストラット３０をＺ字型ストラット６８に接続する屈曲部２８の間に延在し得る。一部の実施形態において、第２接続ストラット３８の両側は、屈曲部２８から、屈曲部２８の直線ストラット３０に接続する側の方向に延び得る。
【００６０】
図１９は、図１８の実施形態に類似したステント１０用のパターンの実施形態を示す。該実施形態では、蛇行バンド２０は、代わりに、交互に位置する基端側の山２４および先端側の谷２６によって接続された交互に位置するＳ字型ストラット３２およびＺ字型ストラット６８を備える。
【００６１】
接続ストラット１６は、第１先端側屈曲部５６から第１基端側屈曲部５４へ及び得る。接続ストラットは、第１の型の接続ストラット３６および第２の型の接続ストラット３８を備え得る。一部の実施形態において、第１接続ストラット３６は、Ｓ字型ストラット３２をＺ字型ストラット６８に接続する屈曲部２８の間に延在し得る。一部の実施形態において、第１接続ストラット３６の両側は、屈曲部２８から、屈曲部２８のＺ字型ストラット６８に接続する側の方向に延び得る。一部の実施形態において、第２接続ストラット３８は、直線ストラット３０をＺ字型ストラット６８に接続する屈曲部２８の間に延在し得る。一部の実施形態において、第２接続ストラット３８の両側は、屈曲部２８から、屈曲部２８のＳ字型ストラット３０に接続する側の方向に延び得る。
【００６２】
図２０〜図２７は、ステント１０の平面パターンの様々な実施形態を示す。先に述べたように、図中の同様の参照数字は本願に記載される同様の特徴を指すものとする。様々な実施形態は、任意の適当な数の蛇行バンド２０、１本の蛇行バンド２０に対して任意の適当な数のストラット２２、１本の蛇行バンド２０に対して任意の適当な数の屈曲部２８、および隣接した蛇行バンド２０間における任意の適当な数の接合部を備え得る。蛇行バンド２０のストラット２２は任意の適当な長さ、幅および形状を有し得る。
【００６３】
図２０〜２７を参照すると、蛇行バンド２０は、屈曲部２８によって接続された湾曲ストラット３２を備える。湾曲ストラット３２は、第１部分５０および第２部分５２を備え、第１部分５０は第２部分５２に対して角度をなして指向されている。
【００６４】
蛇行バンド２０は、第１蛇行バンド８０および第２蛇行バンド８２をさらに備える。第１蛇行バンド８０に備えられた湾曲ストラット３２は、第１概略方向の湾曲を有する。第２蛇行バンド８２に備えられた湾曲ストラット３２は、第１概略方向とは異なり、第１概略方向とほぼ反対であってもよい第２概略方向の湾曲を有する。例えば、所与の基準点から、第１蛇行バンド８０に備えられた湾曲ストラット３２が凸形であると考えられ得る場合、第２蛇行バンド８２に備えられる湾曲ストラット３２は凹形であると考えられ得る。第１概略方向内において、第１蛇行バンド８０の隣接した湾曲ストラット３２は、例えば互いに対して回転して、若干異なる向きを有していてもよい。第２概略方向内において、第２蛇行バンド８２の隣接した湾曲ストラット３２は、若干異なる向きを有していてもよく、例えば互いに対して回転されていてもよい。
【００６５】
各屈曲部２８は幅を有し、屈曲部２８の幅は、ステント１０の１本以上のストラット２２の幅より大きくてもよい。屈曲部２８の幅は、その両端においてストラット２２の幅から増大し、屈曲部２８の中点で最大に達し得る。一部の実施形態において、屈曲部２８の幅は、ステント１０の１本以上のストラット２２の幅より小さくてもよく、屈曲部２８の幅は、その両端においてストラット２２の幅から減少して、屈曲部２８の中点で最小に達し得る。
【００６６】
蛇行バンド２０の基端側屈曲部２４は、第１基端側屈曲部５４および第２基端側屈曲部６４を備え得る。蛇行バンド２０の先端側屈曲部２６は、第１先端側屈曲部５６および第２先端側屈曲部６６を備え得る。蛇行バンド２０の第１先端側屈曲部５６は、第２先端側屈曲部６６よりも、ステント１０の先端１４のより近くまで延在し得る。蛇行バンド２０の第２先端側屈曲部６６はすべて、周方向において互いに整合されていてもよい。同様に、蛇行バンド２０の第１基端側屈曲部５４は、第２基端側屈曲部６４よりも、ステント１０の基端１２のより近くまで延在し得る。蛇行バンド２０の第２基端側屈曲部６４はすべて、周方向において互いに整合されていてもよい。
【００６７】
蛇行バンド２０の様々なストラット２２は、ストラット２２の第１端部２１と第２端部２３との間においてステントの長さ方向軸線１１と平行な方向において測定されるような、異なる長手方向長さ成分を有し得る。第１基端側屈曲部５４または第１先端側屈曲部５６に接続するストラット２２は、第１長手方向長さ成分を有し得る。第２基端側屈曲部６４と第２先端側屈曲部６６との間に接続するストラット２２は、第２長手方向長さ成分を有し得る。第２長手方向長さ成分は、第１長手方向長さ成分より小さくてもよい。
【００６８】
隣接した蛇行バンド２０は、少なくとも１つの接合部８４によって接続される。接合部８４は、第１基端側屈曲部５４に付着された第１先端側屈曲部５６を含み得る。
接合部８４、または第１基端側屈曲部５４もしくは第１先端側屈曲部５６に対して接続するストラット２２は、蛇行バンド２０の他のストラット２２よりも長く、延長ストラット８８からなってもよい。延長ストラット８８は、蛇行バンドの他のストラット２２より長い長手方向長さ成分を有する。多数の延長ストラット８８は接合部８４で接して、連結部材８５と共に略Ｈ字型を形成し得る。
【００６９】
Ｈ字型接合部８４の延長ストラット８８は、第１基端側部分７１、第２基端側部分７２、第１先端側部分９１、および第２先端側部分９２を備える。一部の実施形態において、第１基端側部分７１は第２先端側部分９２と平行であり、かつ第２基端側部分７２は第１先端側部分９１と平行であり得る。一部の実施形態において、第１基端側部分７１は第２基端側部分７２に対して非平行であり、かつ第１先端側部分９１は第２先端側部分９２に対して平行であってもよい。
【００７０】
一部の実施形態において、Ｈ字型接合部８４は、第１接合部８６および第２接合部８７を備え得る。第１接合部８６は第１の向きを有し、第２接合部は、第１の向きとは異なる第２の向きを有し得る。例えば、第１接合部８６は、Ｈ字型の「縦」軸線を含み得る軸線８３を有してもよい。軸線８３は、ステントの長さ方向軸線１１に対して第１角度をなして指向され得る。第２接合部８７の軸線８３は、ステントの長さ方向軸線１１に対して第２角度をなして指向され得、第２角度は第１角度とは異なる。一部の実施形態において、第１角度および第２角度は同じ大きさだが異なる向きを有していることがある。例えば、第１接合部８６の軸線８３は、ステントの長さ方向の軸線１１と４０°の角度を形成し、一方、第２接合部８７の軸線８３は、ステントの長さ方向の軸線１１と−４０°の角度を形成し得る。一部の実施形態において、第１角度は、ステントの長さ方向軸線１１に平行な線をはさんだ第２角度をなす鏡像からなってもよい。
【００７１】
一部の実施形態において、第１接合部８６は、第２蛇行バンド８の第１基端側屈曲部５４に接続される第１蛇行バンド８０の第１先端側屈曲部５６を備えてもよい。一部の実施形態において、第２接合部８７は、第１蛇行バンド８０の第１基端側屈曲部５４に接続される第２蛇行バンド８２の第１先端側屈曲部５６を備えてもよい。
【００７２】
さらに、第１基端側部分７１は、接合部８４の軸線８３を横切って得られる、第２基端側部分７２の実質的な鏡像を有し得る。第１先端側部分９１は、接合部８４の軸線８３を横切って得られた、第２基端側部分７２の実質的な鏡像を有し得る。
【００７３】
図２８は、複数の蛇行バンド２０を備えるステント１０用の平面パターンの別の実施形態を示す。各蛇行バンド２０は複数の湾曲ストラット３２を備える。各湾曲ストラット３２は、第１部分５０および第２部分５２を備える。第１部分５０は、ステントの長さ方向軸線１１に対して角度をなして延び、第２部分５２はステントの長さ方向軸線１１に対して別の角度をなして延びている。
【００７４】
各屈曲部２８は幅を有し、屈曲部２８の幅は、ステント１０の１本以上のストラット２２の幅より大きくてもよい。屈曲部２８の幅は、その両端においてストラット２２の幅から増大し、屈曲部２８の中点で最大値に達し得る。一部の実施形態において、屈曲部２８の幅は、ステント１０の１本以上のストラット２２の幅より小さくてもよく、屈曲部２８の幅は、その両端においてストラット２２の幅から減少して、屈曲部２８の中点で最小に達し得る。
【００７５】
蛇行バンド２０は、第１蛇行バンド７３および第２蛇行バンド７４を備える。第１蛇行バンド７３および第２蛇行バンド７４は、ステント１０の長さに沿って交互に位置し得る。
【００７６】
接続ストラット１６は、第１接続ストラット３６および第２接続ストラット３８を備える。第１接続ストラット３６は、第１蛇行バンド７３の先端側の谷２６と、第２蛇行バンド７４の基端側の山２４とを接続する。第２接続ストラット３８は、第２蛇行バンド７４の先端側の谷２６と、第１蛇行バンド７３の基端側の山２４とを接続する。
【００７７】
図２９は、接続ストラット１６によって接続される蛇行バンド２０を備えるステント１０用の平面パターンの別の実施形態を示す。蛇行バンド２０は、第１蛇行バンド９８および第２蛇行バンド９９を備える。第１蛇行バンド９８および第２蛇行バンド９９は、ステント１０の長さに沿って交互に位置する。
【００７８】
第１蛇行バンド９８は、屈曲部２８によって接続された交互に位置する第１ストラット９４および第２ストラット９５を備える。第１ストラット９４は、第２ストラット９５に対して角度をなして指向されている。第２蛇行バンド９９は、屈曲部２８によって接続された交互に位置する第３ストラット９６および第４ストラット９７を備える。第３ストラット９６は、第４ストラット９７に対して角度をなして指向されている。第１ストラット９４とステントの長さ方向軸線１１に平行な線との間の角度は、第３ストラット９６とステントの長さ方向軸線１１に平行な線との間の角度の鏡像からなってもよい。前記鏡像は周線をはさんで得られる。第２ストラット９５とステントの長さ方向軸線１１に平行な線との間の角度は、第４ストラット９７とステントの長さ方向軸線１１に平行な線との間の角度の鏡像からなってもよい。前記鏡像は周線をはさんで得られる。
【００７９】
各屈曲部２８は幅を有し、屈曲部２８の幅は、ステント１０の１本以上のストラット２２の幅より大きくてもよい。屈曲部２８の幅は、その両端においてストラット２２の幅から増大し、屈曲部２８の中点で最大値に達し得る。一部の実施形態において、屈曲部２８の幅は、ステント１０の１本以上のストラット２２の幅より小さくてもよく、屈曲部２８の幅は、その両端においてストラット２２の幅から減少して、屈曲部２８の中点で最小に達し得る。
【００８０】
接続ストラット１６は、第１接続ストラット３６および第２接続ストラット３８を備える。第１接続ストラット３６は、第１蛇行バンド９８の先端側の谷２６と、第２蛇行バンド９９の基端側の山２４とを接続する。第２接続ストラット３８は、第２蛇行バンド９９の先端側の谷２６と、第１蛇行バンド９８の基端側の山２４とを接続する。
【００８１】
図３０は、接続ストラット１６によって接続された複数の蛇行バンド２０を備えるステント１０用の平面パターンの別の実施形態を示す。接続ストラット１６は、第１接続ストラット３６および第２接続ストラット３８を備える。
【００８２】
ストラット２２は波状の形状を備えており、複数の交互に位置する凹部の部分を備え得る。ストラット２２は、第１極大部１０１、第２極大部１０２、第１極小部１０３および第２極小部１０４を備える。ストラット２２は、第１変曲点１０５、第２変曲点１０６、および第３変曲点１０７をさらに備える。各変曲点１０５，１０６，１０７は、ストラット２２の凹部における変化を有し得る。
【００８３】
各屈曲部２８は幅を有し、屈曲部２８の幅は、ステント１０の１本以上のストラット２２の幅より大きくてもよい。屈曲部２８の幅は、その両端においてストラット２２の幅から増大し、屈曲部２８の中点で最大値に達し得る。一部の実施形態において、屈曲部２８の幅は、ステント１０の１本以上のストラット２２の幅より小さくてもよく、屈曲部２８の幅は、その両端においてストラット２２の幅から減少して、屈曲部２８の中点で最小に達し得る。
【００８４】
図３１は、接続ストラット１６によって接続される複数の蛇行バンド２０を備えるステント１０用の平面パターンの別の実施形態を示す。蛇行バンド２０のストラット２２は湾曲ストラット３２を備える。
【００８５】
蛇行バンド２０は、第１蛇行バンド１１１と、第１蛇行バンド１１１とは異なる向きを有する第２蛇行バンド１１２とを備える。第１蛇行バンド１１１および第２蛇行バンド１１２は、ステント１０の長さに沿って交互に位置し得る。
【００８６】
接続ストラット１６は、第１接続ストラット１１５および第２接続ストラット１１６を備える。第１接続ストラット１１５はステントの長さ方向軸線１１に平行であるが、第２接続ストラット１１６はステントの長さ方向軸線１１に対して角度をなして指向されている。
【００８７】
第１接続ストラット１１５は、第１蛇行バンド１１１の先端側の谷２６と、第２蛇行バンド１１２の基端側の山２４とを接続する。第２接続ストラット１１６は、第２蛇行バンド１１２の先端側の谷２６と、第１蛇行バンド１１１の基端側の山２４とを接続する。
【００８８】
第１接続ストラット１１５によって部分的に境界されるセル４０は、第２接続ストラット１１６によって部分的に境界されるセル４０とは異なる形状を有してもよい。
例えば、図１〜図１１に示されるような一部の実施形態において、ステント１０は以下の番号を付した項によって記述され得る。
【００８９】
１．複数の相互に連結した蛇行バンドを備えるステントであって、各蛇行バンドは、交互に位置する直線ストラットとＳ字型ストラットとを有し、前記Ｓ字型ストラットは山および谷を形成し、各直線ストラットは、一端において１本のＳ字型ストラットに接続されており、他端において別のＳ字型ストラットに接続されており、各Ｓ字型ストラットは、一端において１本の直線ストラットに接続されており、他端において別の直線ストラットに接続されており、Ｓ字型ストラットの一端は山において直線ストラットの一端に接続されており、Ｓ字型ストラットの別の一端は谷において直線ストラットの一端に接続されており、隣接した蛇行バンド同士は複数の線形連結部によって接続されており、前記線形連結部は１本の蛇行バンドの山からそれに隣り合う蛇行バンドの谷へ延在する、ステント。
【００９０】
２．第１の向きを有する第１蛇行バンドと、第１の向きとは異なる第２の向きを有する第２蛇行バンドとをさらに備える、第１項に記載のステント。
３．第１蛇行バンドおよび第２蛇行バンドは、ステントの長さに沿って交互に位置する、第２項に記載のステント。
【００９１】
４．第１線形連結部および第２線形連結部をさらに備え、第２線形連結部は第１線形連結部に対して非平行である、第３項に記載のステント。
５．第１線形連結部はすべて互いに平行である、第４項に記載のステント。
【００９２】
６．第２線形連結部はすべて互いに平行である、第５項に記載のステント。
７．第１線形連結部とステントの長さ方向軸線との間の第１角度は、第２線形連結部とステントの長さ方向軸線との間の第２角度の実質的な鏡像からなり、前記実質的な鏡像はステントの周線をはさんで得られる、第４項に記載のステント。
【００９３】
８．第１線形連結部は、第１蛇行バンドの谷から第２蛇行バンドの山へ延在する、第４項に記載のステント。
９．第１線形連結部は、谷から、その谷のＳ字型ストラットを備える側の方向に延在する、第８項に記載のステント。
【００９４】
１０．第２線形連結部は、第２蛇行バンドの谷から第１蛇行バンドの山へ延在する、第８項に記載のステント。
１１．第２線形連結部は、谷から、その谷の直線ストラットを備える側の方向に延在する、第１０項に記載のステント。
【００９５】
１２．直線ストラットは幅を有し、直線ストラットに接続される谷は、直線ストラットの幅より大きい幅を備える、第１項に記載のステント。
１３．蛇行バンドの各谷はステントの周方向に整合されている、第１項に記載のステント。
【００９６】
１４．蛇行バンドは第１の山および第２の山を備え、第１の山はステントの第１の周方向に整合されており、第２の山は第１の周方向から偏位したステントの第２の周方向に整合されている、第１項に記載のステント。
【００９７】
１５．第１の山および第２の山を有する蛇行バンドは、第１の谷および第２の谷をさらに備え、第１の谷はステントの第３の周方向に整合されており、第２の谷は第３の周方向から偏位したステントの第４の周方向に整合されている、第１４項に記載のステント。
【００９８】
例えば、図１〜図１１に示されるような一部の実施形態において、ステント１０は以下の番号を付した項によって記述され得る。
１．複数の相互に連結した蛇行バンドを備えるステントであって、各蛇行バンドは、交互に位置する直線ストラットとＳ字型ストラットとを有し、前記Ｓ字型ストラットは山および谷を形成し、各直線ストラットは、一端において１本のＳ字型ストラットに接続されており、他端において別のＳ字型ストラットに接続されており、各Ｓ字型ストラットは、一端において１本の直線ストラットに接続されており、他端において別の直線ストラットに接続されており、Ｓ字型ストラットの一端は山において直線ストラットの一端に接続されており、Ｓ字型ストラットの別の一端は谷において直線ストラットの一端に接続されており、隣接した蛇行バンド同士は複数の線形連結部によって接続されており、前記連結部は、１本の蛇行バンドの山から、それに隣り合う蛇行バンドの谷へと延びており、隣接する蛇行バンドおよび連結部は複数のセルを画成し、各セルは複数の接続されていない山および谷を備え、接続されていない山は１本の蛇行バンド上に配置され、接続されていない谷は隣接した蛇行バンド上に配置される、ステント。
【００９９】
２．第１の向きを有する第１蛇行バンドと、第１の向きとは異なる第２の向きを有する第２蛇行バンドとをさらに備える、第１項に記載のステント。
３．第１蛇行バンドおよび第２蛇行バンドは、ステントの長さに沿って交互に位置する、第２項に記載のステント。
【０１００】
４．第１線形連結部および第２線形連結部をさらに備え、第２線形連結部は第１線形連結部に対して非平行である、第３項に記載のステント。
５．第１線形連結部はすべて互いに平行である、第４項に記載のステント。
【０１０１】
６．第２線形連結部はすべて互いに平行である、第５項に記載のステント。
７．第１線形連結部とステントの長さ方向軸線との間の第１角度は、第２線形連結部とステントの長さ方向軸線との間の第２角度の実質的な鏡像からなり、前記実質的な鏡像はステントの周線をはさんで得られる、第４項に記載のステント。
【０１０２】
８．第１線形連結部は、第１蛇行バンドの谷から第２蛇行バンドの山へ延在する、第４項に記載のステント。
９．第１線形連結部は、谷から、その谷のＳ字型ストラットを備える側の方向に延在する、第８項に記載のステント。
【０１０３】
１０．第２線形連結部は、第２蛇行バンドの谷から第１蛇行バンドの山へ延在する、第８項に記載のステント。
１１．第２線形連結部は、谷から、その谷の直線ストラットを備える側の方向に延在する、第１０項に記載のステント。
【０１０４】
１２．直線ストラットは幅を有し、直線ストラットに接続される谷は、直線ストラットの幅より大きい幅を備える、第１項に記載のステント。
１３．蛇行バンドの各谷はステントの周方向に整合されている、第１項に記載のステント。
【０１０５】
１４．蛇行バンドは第１の山および第２の山を備え、第１の山はステントの第１の周方向に整合されており、第２の山は第１の周方向から偏位したステントの第２の周方向に整合されている、第１項に記載のステント。
【０１０６】
１５．第１の山および第２の山を有する蛇行バンドは、第１の谷および第２の谷をさらに備え、第１の谷はステントの第３の周方向に整合されており、第２の谷は第３の周方向から偏位したステントの第４の周方向に整合されている、第１４項に記載のステント。
【０１０７】
例えば、図１〜図１１に示されるような一部の実施形態において、ステント１０は以下の番号を付した項によって記述され得る。
１．複数の相互に連結した蛇行バンドを備えるステントであって、各蛇行バンドは、交互に位置する直線ストラットとＳ字型ストラットとを有し、前記Ｓ字型ストラットは山および谷を形成し、各直線ストラットは、一端において１本のＳ字型ストラットに接続されており、他端において別のＳ字型ストラットに接続されており、各Ｓ字型ストラットは、一端において１本の直線ストラットに接続されており、他端において別の直線ストラットに接続されており、Ｓ字型ストラットの一端は山において直線ストラットの一端に接続されており、Ｓ字型ストラットの別の一端は谷において直線ストラットの一端に接続されており、隣接した蛇行バンド同士は複数の連結部によって接続されており、前記連結部は１本の蛇行バンドの山からそれに隣り合う蛇行バンドの谷へと延びており、前記連結部は、第１方向に延びる第１連結部と、第１方向に対して非平行である第２方向に延びる第２連結部とを備える、ステント。
【０１０８】
２．第１の向きを有する第１蛇行バンドと、第１の向きとは異なる第２の向きを有する第２蛇行バンドとをさらに備える、第１項に記載のステント。
３．第１蛇行バンドおよび第２蛇行バンドは、ステントの長さに沿って交互に位置する、第２項に記載のステント。
【０１０９】
４．第１線形連結部および第２線形連結部をさらに備え、第２線形連結部は第１線形連結部に対して非平行である、第３項に記載のステント。
５．第１線形連結部はすべて互いに平行である、第４項に記載のステント。
【０１１０】
６．第２線形連結部はすべて互いに平行である、第５項に記載のステント。
７．第１線形連結部とステントの長さ方向軸線との間の第１角度は、第２線形連結部とステントの長さ方向軸線との間の第２角度の実質的な鏡像からなり、前記実質的な鏡像はステントの周線をはさんで得られる、第４項に記載のステント。
【０１１１】
８．第１線形連結部は、第１蛇行バンドの谷から第２蛇行バンドの山へ延在する、第４項に記載のステント。
９．第１線形連結部は、谷から、その谷のＳ字型ストラットを備える側の方向に延在する、第８項に記載のステント。
【０１１２】
１０．第２線形連結部は、第２蛇行バンドの谷から第１蛇行バンドの山へ延在する、第８項に記載のステント。
１１．第２線形連結部は、谷から、その谷の直線ストラットを備える側の方向に延在する、第１０項に記載のステント。
【０１１３】
１２．直線ストラットは幅を有し、直線ストラットに接続される谷は、直線ストラットの幅より大きい幅を備える、第１項に記載のステント。
１３．蛇行バンドの各谷はステントの周方向に整合されている、第１項に記載のステント。
【０１１４】
１４．蛇行バンドは第１の山および第２の山を備え、第１の山はステントの第１の周方向に整合されており、第２の山は第１の周方向から偏位したステントの第２の周方向に整合されている、第１項に記載のステント。
【０１１５】
１５．第１の山および第２の山を有する蛇行バンドは、第１の谷および第２の谷をさらに備え、第１の谷はステントの第３の周方向に整合されており、第２の谷は第３の周方向から偏位したステントの第４の周方向に整合されている、第１４項に記載のステント。
【０１１６】
例えば、図５、図６、図８および図１１に示されるような一部の実施形態において、ステント１０は以下の番号を付した項によって記述され得る。
１．複数の相互に連結した蛇行バンドを備えるステントであって、各蛇行バンドは、交互に位置する直線ストラットとＳ字型ストラットとを有し、前記Ｓ字型ストラットは山および谷を形成し、各直線ストラットは、一端において１本のＳ字型ストラットに接続されており、他端において別のＳ字型ストラットに接続されており、各Ｓ字型ストラットは、一端において１本の直線ストラットに接続されており、他端において別の直線ストラットに接続されており、Ｓ字型ストラットの一端は山において直線ストラットの一端に接続されており、Ｓ字型ストラットの別の一端は谷において直線ストラットの一端に接続されており、隣接した蛇行バンド同士は複数の線形連結部によって接続されてセルを形成し、周方向において互いに隣接するセルは異なる大きさを有する、ステント。
【０１１７】
２．第１の向きを有する第１蛇行バンドと、第１の向きとは異なる第２の向きを有する第２蛇行バンドとをさらに備える、第１項に記載のステント。
３．第１蛇行バンドおよび第２蛇行バンドは、ステントの長さに沿って交互に位置する、第２項に記載のステント。
【０１１８】
４．第１線形連結部および第２線形連結部をさらに備え、第２線形連結部は第１線形連結部に対して非平行である、第３項に記載のステント。
５．第１線形連結部はすべて互いに平行である、第４項に記載のステント。
【０１１９】
６．第２線形連結部はすべて互いに平行である、第５項に記載のステント。
７．第１線形連結部とステントの長さ方向軸線との間の第１角度は、第２線形連結部とステントの長さ方向軸線との間の第２角度の実質的な鏡像からなり、前記実質的な鏡像はステントの周線をはさんで得られる、第４項に記載のステント。
【０１２０】
８．第１線形連結部は、第１蛇行バンドの谷から第２蛇行バンドの山へ延在する、第４項に記載のステント。
９．第１線形連結部は、谷から、その谷のＳ字型ストラットを備える側の方向に延在する、第８項に記載のステント。
【０１２１】
１０．第２線形連結部は、第２蛇行バンドの谷から第１蛇行バンドの山へ延在する、第８項に記載のステント。
１１．第２線形連結部は、谷から、その谷の直線ストラットを備える側の方向に延在する、第１０項に記載のステント。
【０１２２】
１２．直線ストラットは幅を有し、直線ストラットに接続される谷は、直線ストラットの幅より大きい幅を備える、第１項に記載のステント。
１３．蛇行バンドの各谷はステントの周方向に整合されている、第１項に記載のステント。
【０１２３】
１４．蛇行バンドは第１の山および第２の山を備え、第１の山はステントの第１の周方向に整合されており、第２の山は第１の周方向から偏位したステントの第２の周方向に整合されている、第１項に記載のステント。
【０１２４】
１５．第１の山および第２の山を有する蛇行バンドは、第１の谷および第２の谷をさらに備え、第１の谷はステントの第３の周方向に整合されており、第２の谷は第３の周方向から偏位したステントの第４の周方向に整合されている、第１４項に記載のステント。
【０１２５】
例えば、図１２に示されるような一部の実施形態において、ステント１０は以下の番号を付した項によって記述され得る。
１．蛇行バンドを備えるステントであって、前記蛇行バンドは、交互に位置する山および谷によって接続された複数のストラットを備え、前記ストラットは、外面、内面、２つの側壁を有する、複数の突出部付きストラットを備え、側壁のうちの一方はＳ字型状であり、他方の側壁は異なる形状を有する、ステント。
【０１２６】
２．複数の蛇行バンドをさらに備え、各蛇行バンドは、交互に位置する直線ストラットおよび突出部付きストラットを備え、隣接した蛇行バンド同士は接続ストラットによって接続される、第１項に記載のステント。
【０１２７】
３．第１の向きを有する第１蛇行バンドと、第１の向きとは異なる第２の向きを有する第２蛇行バンドとをさらに備える、第２項に記載のステント。
４．第１蛇行バンドおよび第２蛇行バンドは、ステントの長さに沿って交互に位置する、第３項に記載のステント。
【０１２８】
５．ステントの接続ストラットは、第１線形連結部および第２線形連結部を備え、第２線形連結部は第１線形連結部に対して非平行である、第２項に記載のステント。
６．第１線形連結部はすべて互いに平行である、第５項に記載のステント。
【０１２９】
７．第２線形連結部はすべて互いに平行である、第６項に記載のステント。
８．第１線形連結部とステントの長さ方向軸線との間の第１角度は、第２線形連結部とステントの長さ方向軸線との間の第２角度の実質的な鏡像からなり、前記実質的な鏡像はステントの周線をはさんで得られる、第５項に記載のステント。
【０１３０】
９．第１線形連結部は、第１蛇行バンドの谷から第２蛇行バンドの山へ延在する、第５項に記載のステント。
１０．第１線形連結部は、谷から、その谷の突出部付きストラットを備える側の方向に延在する、第９項に記載のステント。
【０１３１】
１１．第２線形連結部は、第２蛇行バンドの谷から第１蛇行バンドの山へ延在する、第９項に記載のステント。
１２．第２線形連結部は、谷から、その谷の直線ストラットを備える側の方向に延在する、第１１項に記載のステント。
【０１３２】
１３．直線ストラットは幅を有し、直線ストラットに接続される谷は、直線ストラットの幅より大きい幅を備える、第２項に記載のステント。
１４．蛇行バンドの各谷はステントの周方向に整合されている、第２項に記載のステント。
【０１３３】
１５．蛇行バンドは第１の山および第２の山を備え、第１の山はステントの第１の周方向に整合されており、第２の山は第１の周方向から偏位したステントの第２の周方向に整合されている、第２項に記載のステント。
【０１３４】
１６．第１の山および第２の山を有する蛇行バンドは、第１の谷および第２の谷をさらに備え、第１の谷はステントの第３の周方向に整合されており、第２の谷は第３の周方向から偏位したステントの第４の周方向に整合されている、第１５項に記載のステント。
【０１３５】
１７．蛇行バンドを備えるステントであって、前記蛇行バンドは、外面、内面、２つの側壁を有するストラットを備え、側壁のうちの一方はＳ字型状であり、他方の側壁は異なる形状を有する、ステント。
【０１３６】
一部の実施形態において、例えば、図２、図３、および図１７〜１９に示されるように、接続ストラット１６の領域にある蛇行バンド２０の異なる山２４および谷２６は、蛇行バンド２０の他の山２４または谷２６から長手方向に偏位されていてもよく、以下の番号を付した項によって記述され得る。
【０１３７】
１．複数の蛇行バンドであって、各蛇行バンドは、屈曲部によって接続された複数のストラットを備え、前記屈曲部は、交互に位置する山および谷を備える、蛇行バンドと、複数の接続ストラットであって、隣接した蛇行バンド同士は少なくとも１本の接続ストラットによって接続されており、各接続ストラットは、１本の蛇行バンドの谷から別の蛇行バンドの山へ延在する、接続ストラットと、複数の第１の谷および第２の谷を備える第１蛇行バンドであって、第１の谷はステントの周方向に整合されており、第２の谷は第１の谷から長手方向に偏位されている、第１蛇行バンドと、複数の第１の山および第２の山を備える第２蛇行バンドであって、第１の山はステントの周方向に整合されており、第２の山は第１の山から長手方向に偏位されている、第２蛇行バンドとを備え、ステントの長さ方向軸線に対して角度をなして配向される第１接続ストラットは、第１の谷と第１の山との間を接続し、第２の谷は、第１接続ストラットに接続された第１の山と長手方向において整合されており、第２の山は、第１接続ストラットに接続された第１の谷と長手方向において整合されている、ステント。
【０１３８】
２．第１蛇行バンドは、複数の第１の山および第２の山をさらに備え、第１の山はステントの周方向に整合されており、第２の山は第１の山から長手方向に偏位されており、該ステントは、複数の第１の谷および第２の谷を備える第３蛇行バンドであって、第１の谷はステントの周方向に整合されており、第２の谷は第１の谷から長手方向に偏位されている、第３蛇行バンドと、ステントの長さ方向軸線に対して角度をなして指向されている第２接続ストラットとをさらに備え、第２接続ストラットは第３蛇行バンドの第１の谷と第１蛇行バンドの第１の山とを接続し、第３蛇行バンドの第２の谷は、第２接続ストラットに接続された第１の山と長手方向において整合されており、第１蛇行バンドの第２の山は、第２接続ストラットに接続された第１の谷と長手方向において整合されている、第１項に記載のステント。
【０１３９】
３．第１接続ストラットは第２接続ストラットと非平行である、第２項に記載のステント。
４．第１接続ストラットとステントの長さ方向軸線との間の第１角度は、第２線接続ストラットとステントの長さ方向軸線との間の第２角度の実質的な鏡像からなり、前記実質的な鏡像はステントの周線をはさんで得られる、第３項に記載のステント。
【０１４０】
５．各蛇行バンドは、交互に位置する直線ストラットおよびＳ字型ストラットを備える、第１項に記載のステント。
６．第１接続ストラットは、第１蛇行バンドの第１の谷の、Ｓ字型ストラットを備える側から延びる、第５項に記載のステント。
【０１４１】
７．第１接続ストラットは、第２蛇行バンドの第１の山の、Ｓ字型ストラットを備える側から延びる、第６項に記載のステント。
８．第２接続ストラットは、第１蛇行バンドの第１の山の、直線ストラットを備える側から延びる、第５項に記載のステント。
【０１４２】
９．第２接続ストラットは、第３蛇行バンドの第１の谷の、直線ストラットを備える側から延びる、第８項に記載のステント。
１０．蛇行バンドは、交互に位置する直線ストラットおよびＺ字型ストラットを備え、各Ｚ字型ストラットは第１直線部分、第２の谷、第２直線部分、第２の山、および第３直線部分を備える、第１項に記載のステント。
【０１４３】
１１．各Ｚ字型ストラットは第１の谷によって１本の直線ストラットに接続され、かつ第１の山によって別の直線ストラットに接続される、第１０項に記載のステント。
１２．蛇行バンドは、交互に位置するＳ字型ストラットおよびＺ字型ストラットを備え、各Ｚ字型ストラットは第１直線部分、第２の谷、第２直線部分、第２の山、および第３直線部分を備える、第１項に記載のステント。
【０１４４】
１３．各Ｚ字型ストラットは、第１の谷によって１本のＳ字型ストラットに接続され、かつ第１の山によって別のＳ字型ストラットに接続される、第１２項に記載のステント。
１４．前記蛇行バンドは、第１の向きを有する第１蛇行バンドと、第１の向きとは異なる第２の向きを有する第２蛇行バンドとを備える、第１項に記載のステント。
【０１４５】
１５．第１蛇行バンドおよび第２蛇行バンドは、ステントの長さに沿って交互に位置する、第４項に記載のステント。
１６．各蛇行バンドは、接続ストラットに対して接続されていない複数の接続されていない谷を備え、接続されていない谷の幅は、接続されていない谷が付着されているストラットの幅より大きい、第１項に記載のステント。
【０１４６】
一部の実施形態において、例えば、図１４に示されるように、ステントは、直線ストラット３０を有する第１蛇行バンドと、湾曲ストラット３２を有する第２蛇行バンドとを備えてもよく、以下の番号を付した項によって記述され得る。
【０１４７】
１．複数の第１蛇行バンドであって、各第１蛇行バンドは、屈曲部によって接続された複数の直線ストラットを備え、前記屈曲部は、交互に位置する山および谷を備える、第１蛇行バンドと、複数の第２蛇行バンドであって、各第２蛇行バンドは、屈曲部によって接続された複数の湾曲ストラットを備え、前記屈曲部は、交互に位置する山および谷を備える、第２蛇行バンドと、複数の接続ストラットであって、隣接した蛇行バンド同士は少なくとも１本の接続ストラットによって接続されており、各接続ストラットは、１本の蛇行バンドの谷から別の蛇行バンドの山へ延在する、接続ストラットとを備え、第１蛇行バンドおよび第２蛇行バンドは、ステントの長さに沿って交互に位置する、ステント。
【０１４８】
２．ステントの基端は第１蛇行バンドを備える、第１項に記載のステント。
３．ステントの先端は第１蛇行バンドを備える、第２項に記載のステント。
４．第１接続ストラットおよび第２接続ストラットをさらに備え、第１接続ストラットは第２接続ストラットと非平行である、第１項に記載のステント。
【０１４９】
５．各第１接続ストラットは各第１蛇行バンドの谷に付着されている、第４項に記載のステント。
６．各第１接続ストラットは第２蛇行バンドの山に付着されている、第５項に記載のステント。
【０１５０】
７．各第２接続ストラットは第２蛇行バンドの谷に付着されている、第４項に記載のステント。
８．各第２接続ストラットは第１蛇行バンドの山に付着されている、第７項に記載のステント。
【０１５１】
一部の実施形態において、例えば、図１５に示されるように、ステントは、直線ストラット３０を有する第１蛇行バンドと、湾曲ストラット３２を有する第２蛇行バンドとを備えてもよく、以下の番号を付した項によって記述され得る。
【０１５２】
１．複数の蛇行バンドを備えるステントにおいて、各蛇行バンドは、屈曲部によって接続された複数のストラットを備え、前記屈曲部は、交互に位置する山および谷を備え、前記蛇行バンドは、複数の第１蛇行バンドであって、各第１蛇行バンドは、交互に位置する山および谷によって接続された複数の直線ストラットを備え、少なくとも１本の第１蛇行バンドは、第１の山、複数の第２の山、第１の谷、および複数の第２の谷を備え、第２の山はステントの周方向に整合されており、第１の山は第２の山から長手方向に偏位されており、第２の谷はステントの周方向に整合されており、第１の谷は第２の谷から長手方向に偏位されている、第１蛇行バンドと、複数の第２蛇行バンドであって、各第２蛇行バンドは、交互に位置する山および谷によって接続された複数の湾曲ストラットを備え、複数の第２蛇行バンドは、第１の山、複数の第２の山、第１の谷および複数の第２の谷を備え、第２の山はステントの周方向に整合されており、第１の山は第２の山から長手方向に偏位されており、第２の谷はステントの周方向に整合されており、第１の谷は第２の谷から長手方向に偏位されている、第２蛇行バンドとを備え、長手方向に隣接した蛇行バンドは接合部によって接続されており、接合部は第１の山に接続される第１の谷を備える、ステント。
【０１５３】
２．ステントの基端は第１蛇行バンドを備える、第１項に記載のステント。
３．ステントの先端は第１蛇行バンドを備える、第２項に記載のステント。
４．各湾曲ストラットは、第２部分と非平行である第１部分を備える、第１項に記載のステント。
【０１５４】
本発明のステントは、１種以上のポリマー、１種以上の金属、またはポリマーと金属の組み合わせを含む任意の適切な生体適合性材料から製造され得る。適切な材料の例としては、生体適合性でもある生分解性材料が挙げられる。生物分解性であるとは、材料が、通常の生物学的過程の一部として、無害な化合物へ崩壊または分解することを意味する。適切な生物分解性材料としては、ポリ乳酸、ポリグリコール酸（ＰＧＡ）、コラーゲンまたは他の結合タンパク質（ｃｏｎｎｅｃｔｉｖｅ  ｐｒｏｔｅｉｎｓ）もしくは天然材料、ポリカプロラクトン、ヒアルロン酸、接着性タンパク質、これらの物質のコポリマー、並びに、それらの複合体、組み合わせ、および他の生分解性ポリマーの組み合わせが挙げられる。使用され得る他のポリマーとしては、ポリエステルおよびポリカーボネートのコポリマーが挙げられる。適切な金属の例としては、ステンレス鋼、チタン、タンタル、白金、タングステン、金、および前述の金属のうちのいずれかの合金が挙げられるが、これらに限定されるものではない。適切な合金の例としては、白金‐イリジウム合金、エルジロイ（Ｅｌｇｉｌｏｙ（登録商標））とフィノックス（Ｐｈｙｎｏｘ）を含むコバルト−クロム合金、ＭＰ３５Ｎ合金、および例えばニチノールのようなニッケル‐チタン合金が挙げられる。
【０１５５】
本発明のステントは、超弾性ニチノールまたはばね鋼のような形状記憶材料から製造されてもよいし、または塑性変形可能な材料から製造されてもよい。形状記憶材料の場合には、ステントは、記憶形状を与えられ、次いで、縮径形状に変形され得る。ステントは、遷移温度に加熱され、あらゆる拘束を該ステントから除去すると、ステント自身を記憶形状に復帰させ得る。
【０１５６】
本発明ステントは、管状材料から、切断またはエッチングした後に丸められる平坦なシートから、または１本以上の織り込まれたワイヤーまたは編組から、図案を切断またはエッチングすることを含む方法によって生成され得る。また、本願に開示した本発明のステントを製造するために、当業において公知であるか、または後で開発される他の適切な技術を用いてもよい。
【０１５７】
一部の実施形態において、ステント、搬送システム、またはアセンブリの他の一部は、Ｘ線、ＭＲＩ、超音波などのような画像診断療法によって検出可能である１つ以上の領域、バンド、コーティング、部材等を備えてもよい。一部の実施形態において、ステントおよび／または隣接するアセンブリの少なくとも一部は、少なくとも部分的に放射線不透過性である。
【０１５８】
一部の実施形態において、ステントの少なくとも一部は、治療薬の送達のための１つ以上の機構を備えるように構成される。多くの場合、薬剤は、ステントの表面領域に配置される物質のコーティングまたは他の層の形態を有する。前記物質のコーティングまたは層は、ステントの埋め込み部位またはその部位に隣接する領域において解放されるように適合されている。
【０１５９】
治療薬は、非遺伝子薬（ｎｏｎ−ｇｅｎｅｔｉｃ  ａｇｅｎｔｓ）、遺伝因子（ｇｅｎｅｔｉｃ  ａｇｅｎｔｓ）、細胞材料などのような薬剤または他の医薬品であり得る。適切な非遺伝子治療薬の一部の例としては、ヘパリン、ヘパリン誘導体のような抗血栓薬、脈管細胞増殖促進剤、成長因子阻害物質、パクリタキセルなどが挙げられるが、これらに限定されるものではない。薬剤が遺伝子治療薬を含む場合、そのような遺伝因子は、ＤＮＡ、ＲＮＡ、およびそれら各々の誘導体および／または構成要素、並びにヘッジホッグタンパク質などを含み得るが、これらに限定されるものではない。治療薬が細胞材料を含む場合、細胞材料は、ヒト由来および／または非ヒト由来の細胞、並びにそれらの各構成要素および／または各誘導体を含み得るが、これらに限定されるものではない。治療薬がポリマー剤を含む場合、ポリマー剤は、ポリスチレン−ポリイソブチレン−ポリスチレントリブロックコポリマー（ＳＩＢＳ）、ポリエチレンオキシド、シリコーンゴムおよび／または、他の適切な基材を含み得るが、これらに限定されるものではない。
【０１６０】
上記の開示は、例示であり、網羅的なものではないことが意図される。本記載は、当業者に多数の変形例および別例を示唆するであろう。個々の図面に示し、上記で説明した様々な要素は、所望により、組み合わされてもよく、また、組み合わせるために変更されてもよい。これらの別例および変形例はすべて、特許請求の範囲内に含まれるものとする。特許請求の範囲においては、「備える（ｃｏｍｐｒｉｓｉｎｇ）」という用語は「含むが、それに限定されるものではない」ことを意味する。
【０１６１】
さらに、従属請求項に示された特定の特徴は、本発明が従属請求項の特徴の他の可能な組み合わせを有する他の実施形態にも特に関するものと認識されるように、本発明の範囲内において他の方法で互いに組み合わせることができる。例えば、請求項を公開する目的のために、管轄内において多数項従属形式が認められる形式である場合には、従属する任意の従属請求項は、そのような従属請求項に引用されるすべての既述事項を有する全ての先行請求項に対する多数項従属形式に書き換えられるものと解釈されるべきである。（例えば、請求項１に直接従属する各請求項は、代わりに、すべての先行請求項に従属するものと解釈されるべきである）。多数項従属クレーム形式が制限される管轄においては、後続の従属請求項は、それぞれ、以下のそのような従属請求項において列記される特定の請求項以外の、先行の既述事項を有する請求項への従属を形成する単一項従属クレーム形式に書き換えられるものと解釈されるべきである。
【０１６２】
これで、本発明の説明を完結する。当業者は、その均等物が本願に添付された特許請求の範囲によって包含されることが意図される、本願に記載した特定の実施形態に対する他の均等物を認識し得る。
【図面の簡単な説明】
【０１６３】
【図１】ステントパターンの様々な実施形態を示す図。
【図２】ステントパターンの様々な実施形態を示す図。
【図３】ステントパターンの様々な実施形態を示す図。
【図４】ステントパターンの様々な実施形態を示す図。
【図５】ステントパターンの様々な実施形態を示す図。
【図６】ステントパターンの様々な実施形態を示す図。
【図７】ステントパターンの様々な実施形態を示す図。
【図８】ステントパターンの様々な実施形態を示す図。
【図９】ステントパターンの様々な実施形態を示す図。
【図１０】ステントパターンの様々な実施形態を示す図。
【図１１】ステントパターンの様々な実施形態を示す図。
【図１２】ステントパターンの様々な実施形態を示す図。
【図１３】ステントパターンの様々な実施形態を示す図。
【図１４】ステントパターンの様々な実施形態を示す図。
【図１５】ステントパターンの様々な実施形態を示す図。
【図１６】ステントパターンの様々な実施形態を示す図。
【図１７】ステントパターンの様々な実施形態を示す図。
【図１８】ステントパターンの様々な実施形態を示す図。
【図１９】ステントパターンの様々な実施形態を示す図。
【図２０】ステントパターンの様々な実施形態を示す図。
【図２１】ステントパターンの様々な実施形態を示す図。
【図２２】ステントパターンの様々な実施形態を示す図。
【図２３】ステントパターンの様々な実施形態を示す図。
【図２４】ステントパターンの様々な実施形態を示す図。
【図２５】ステントパターンの様々な実施形態を示す図。
【図２６】ステントパターンの様々な実施形態を示す図。
【図２７】ステントパターンの様々な実施形態を示す図。
【図２８】ステントパターンの様々な実施形態を示す図。
【図２９】ステントパターンの様々な実施形態を示す図。
【図３０】ステントパターンの様々な実施形態を示す図。
【図３１】ステントパターンの様々な実施形態を示す図。
【図１】
2009513300.tif 000003
【図２】
2009513300.tif 000004
【図３】
2009513300.tif 000005
【図４】
2009513300.tif 000006
【図５】
2009513300.tif 000007
【図６】
2009513300.tif 000008
【図７】
2009513300.tif 000009
【図８】
2009513300.tif 000010
【図９】
2009513300.tif 000011
【図１０】
2009513300.tif 000012
【図１１】
2009513300.tif 000013
【図１２】
2009513300.tif 000014
【図１３】
2009513300.tif 000015
【図１４】
2009513300.tif 000016
【図１５】
2009513300.tif 000017
【図１６】
2009513300.tif 000018
【図１７】
2009513300.tif 000019
【図１８】
2009513300.tif 000020
【図１９】
2009513300.tif 000021
【図２０】
2009513300.tif 000022
【図２１】
2009513300.tif 000023
【図２２】
2009513300.tif 000024
【図２３】
2009513300.tif 000025
【図２４】
2009513300.tif 000026
【図２５】
2009513300.tif 000027
【図２６】
2009513300.tif 000028
【図２７】
2009513300.tif 000029
【図２８】
2009513300.tif 000030
【図２９】
2009513300.tif 000031
【図３０】
2009513300.tif 000032
【図３１】
2009513300.tif 000033
【国際調査報告】
2009513300.tif 000034
2009513300.tif 000035
2009513300.tif 000036